(57)【特許請求の範囲】
【請求項１】
トナー像を担持する像担持体と、
装置本体に挿入されるカートリッジを装着するカートリッジ装着部と、
前記像担持体に光照射をするための開口部を有し、前記開口部に光が透過する透過部材を備えた光学ユニットと、
前記光学ユニットの開口部から前記像担持体に照射される光の光路を遮る閉鎖位置と開放する開放位置とに移動可能な光シャッタ部材と、
前記透過部材に対して移動して前記透過部材を清掃する清掃部材と、
を有する画像形成装置であって、
前記清掃部材は、前記光シャッタ部材に対して移動可能に前記光シャッタ部材に支持され、装置本体へ挿入される前記カートリッジに係合して前記透過部材に対して移動し、
前記光シャッタ部材が前記閉鎖位置にある状態で前記カートリッジを挿入する際に、前記光シャッタ部材が、前記カートリッジの挿入動作に伴って前記清掃部材が移動する方向に沿って移動して該閉鎖位置から移動することを規制する規制部材を有することを特徴とする画像形成装置。
【請求項２】
前記カートリッジの抜き取り動作に伴って前記清掃部材が前記カートリッジと係合して前記透過部材に対して移動する際に、前記清掃部材に押圧されて前記光シャッタ部材が前記閉鎖位置から前記開放位置に向かって移動することにより、前記清掃部材と前記カートリッジとの係合が解除されることを特徴とする請求項１に記載の画像形成装置。
【請求項３】
前記光シャッタ部材を前記開放位置から前記閉鎖位置に向かって移動させるよう付勢する付勢手段を有することを特徴とする請求項２に記載の画像形成装置。
【請求項４】
前記カートリッジの抜き取り動作中に前記清掃部材によって押圧されることにより、前記光シャッタ部材が前記付勢手段の付勢力に抗して前記閉鎖位置から前記開放位置に向かって移動し、前記清掃部材と前記カートリッジとの係合が解除されることを特徴とする請求項３に記載の画像形成装置。
【請求項５】
前記像担持体は回転可能であり、前記カートリッジは前記像担持体の回転軸方向に沿って装置本体から挿抜されることを特徴とする請求項１乃至４のいずれか一項に記載の画像形成装置。
【発明の詳細な説明】
【技術分野】
【０００１】
本発明は複写機、プリンタ、ファクシミリ等の画像形成装置に関し、特に光学ユニットの光照射開口部に設けた透過部材を清掃可能な画像形成装置に関する。
【背景技術】
【０００２】
レーザビームプリンタや複写機等の画像形成装置は、像担持体である感光体ドラムに画信号に応じたレーザ光を照射して静電潜像を形成し、この静電潜像をトナーによって現像して可視像化する。このような画像形成装置は、動作中にレーザ光が外部に漏出しないように、開閉可能な開閉カバーを有する本体カバーによって覆っている。
【０００３】
しかし、プロセスカートリッジ等の消耗品の交換や、操作上紙詰まりを除去する場合、あるいは保守点検の際など、メインスイッチの入力中に開閉カバーを開けることがある。特にレーザ光の場合は、開閉カバーが開いた状態において、インターロックスイッチが誤作動してもレーザ光が装置外に漏れないようにする必要がある。
【０００４】
そこで、レーザシャッタ装置が用いられている。レーザシャッタ装置はレーザ光学走査装置又はそれを用いた画像形成装置内に配置され、感光体ドラムを含むプロセスカートリッジの着脱や、その際開閉される画像形成装置の開閉カバーの開閉動作に連動してシャッタが動作するように構成されている。すなわち、レーザシャッタ装置は、ユーザ、サービスマンがプロセスカートリッジの着脱、紙詰まりの処理等の目的で画像形成装置の開閉カバーを開けたときに、レーザ光の光路を遮ることで、ユーザがレーザ光にさらされるのを防ぐためのものである。
【０００５】
例えば、特許文献１に開示されているように、レーザ光を反射する折り返しミラーの全長を覆う形状のレーザシャッタを回動可能に取り付け、プロセスカートリッジの着脱や紙詰まりを除去する時に開閉する開閉カバーに連動して前記レーザシャッタを回動させて折り返しミラーに至るレーザ光路を遮断するようにしたものがある。
【０００６】
一方、近年の電子写真方式の画像形成装置は、現像剤としてトナーを使用するため、画像形成装置内でトナーが飛散し、塵や埃が浮遊することがある。画像形成装置の露光手段であるレーザスキャナは、トナー、塵、埃等を嫌うため、レーザスキャナ内部へトナー、塵、埃等が侵入しないように、その内部を密閉状態としている。
【０００７】
画像形成装置は、レーザスキャナから出射されるレーザ光が通過する開口部を有している。この開口部からトナー、塵、埃等がレーザスキャナ内部へ侵入するのを防止することを目的として、開口部にレーザ光が通過可能なカバーガラスを取り付けている。
【０００８】
このような構成から、プロセスカートリッジ内の現像器から落下・浮遊するトナー、塵、埃がレーザ光の光路内に侵入し、カバーガラスに付着して光路を遮ることで、印字画像の濃度低下や画像の欠落が発生することがあった。よって、濃度低下や画像の欠落を防止するためには、カバーガラス上にトナーや塵、埃等が付着しない構成、もしくは付着したものを清掃する構成が必要となる。
【０００９】
そこで、ユーザやサービスマンが画像形成装置内部にアクセスし、カバーガラスを柔らかい布等でクリーニングを行うことされていた。しかし、カバーガラスのエリアはその面積が小さい上に、カバーガラス表面を傷つけないようにクリーニングしなければならなかったため、非常にやりにくく、確実にクリーニングすることに苦労していた。
【００１０】
この課題を解決するために、特許文献２に開示されているように、防塵ガラスに付着したトナー、塵、埃等を除去できるクリーニング構成が提案されている。具体的には、ユーザやサービスマンが光走査装置に備わっている清掃部材を防塵ガラスに沿ってスライドさせることで、防塵ガラスに付着したトナー、塵、埃等を除去することができる構成を実現している。
【００１１】
【特許文献１】特開平１１−３３７８５９号
【特許文献２】特開２００５−２４６９０１号
【発明の開示】
【発明が解決しようとする課題】
【００１２】
近年、タンデム型カラー画像形成装置は小型化、高速出力化が進み、画像形成の主要な要素をコンパクトに配置、構成することが重要なテーマとなっている。特に、複数の感光体ドラム、複数のレーザ光を使用するタンデム式カラー画像形成装置においては、各色の画像形成部が必要になり、画像形成部をいかにコンパクト設計を行うかが課題であった。
【００１３】
当然タンデム式カラー画像形成装置では、ユーザ保護のためのレーザシャッタ装置も複数必要になり、機構が複雑になってしまう。また、レーザシャッタ機構を配置するスペースが感光体ドラムとレーザスキャナの間に必要となり、作像エリアの各要素の配置自由度が失われ、装置の小型化の障害になってしまっていた。
【００１４】
また、特許文献２に示すように、清掃部材をスライドさせて防塵ガラスを清掃する構成では、ユーザやサービスマンが清掃部材を移動させる必要があり、清掃操作に煩わしさがあった。
【００１５】
本発明は上記点に鑑みてなされたものであり、その目的は、省スペース、かつシンプルな構成で操作性よく透過部材上の異物を清掃することが可能な画像形成装置を提供するものである。
【課題を解決するための手段】
【００１６】
上記課題を解決するための本発明における代表的な手段は、トナー像を担持する像担持体と、装置本体に挿入されるカートリッジを装着するカートリッジ装着部と、前記像担持体に光照射をするための開口部を有し、前記開口部に光が透過する透過部材を備えた光学ユニットと、前記光学ユニットの開口部から前記像担持体に照射される光の光路を遮る閉鎖位置と開放する開放位置とに移動可能な光シャッタ部材と、前記透過部材に対して移動して前記透過部材を清掃する清掃部材と、を有する画像形成装置であって、前記清掃部材は、前記光シャッタ部材に対して移動可能に前記光シャッタ部材に支持され、装置本体へ挿入される前記カートリッジに係合して前記透過部材に対して移動し、前記光シャッタ部材が前記閉鎖位置にある状態で前記カートリッジを挿入する際に、前記光シャッタ部材が、前記カートリッジの挿入動作に伴って前記清掃部材が移動する方向に沿って移動して該閉鎖位置から移動することを規制する規制部材を有することを特徴とする。
【発明の効果】
【００１７】
本発明にあっては、カートリッジの挿抜動作に伴って清掃部材が移動する。このため、カートリッジを装置本体に挿抜するだけで清掃部材により透過部材を清掃することができる。
【００１８】
また、カートリッジを抜き取る動作中にカートリッジと清掃部材の係合が解除されるので、清掃操作性が向上する。
【発明を実施するための最良の形態】
【００１９】
次に本発明の一実施形態に係る画像形成装置について、図面を参照して具体的に説明する。
【００２０】
〔第１実施形態〕
図１は第１実施形態に係る画像形成装置の一態様であるカラーレーザプリンタ100の全体構成を示す縦断面図である。まず、画像形成装置の全体構成について概略説明する。
【００２１】
［画像形成装置の全体構成］
図１に示すカラーレーザプリンタ100は、第１から第４画像形成部を構成する４個のプロセスカートリッジ７（７ａ，７ｂ，７ｃ，７ｄ）が装着されている。各画像形成部は、順にイエロー、マゼンタ、シアン、ブラックの各色画像を形成するものであり、トナーの色が異なる以外は同じ構成である。そこで、図１に示した符号ａ，ｂ，ｃ，ｄはそれぞれ、イエロー、マゼンタ、シアン、ブラックの各画像形成部に対応した部材を示すが、以下の説明では、特に色を区別する必要がない場合には、符号ａ，ｂ，ｃ，ｄは省略する。
【００２２】
各プロセスカートリッジ７は像担持体としての感光体ドラム１を備えており、感光体ドラム１の周囲には、その回転方向に従って順に、帯電手段としての帯電手段２、現像ユニット４、クリーニング手段８が一体的にカートリッジ化されて画像形成装置本体に着脱可能に装着されている。
【００２３】
プロセスカートリッジ７は現像手段となる現像ユニット４とクリーナユニット５で構成されている。現像ユニット４は、現像ローラ24と、現像剤塗布ローラ25、及びトナー容器を有している。クリーナユニット５は、感光体ドラム１と、帯電ローラ２と、クリーニング手段となるドラムクリーニングブレード８及び廃トナー容器とを有している。
【００２４】
また、プロセスカートリッジ７の上方には、感光体ドラム１に当接して回転可能な中間転写ベルトユニット30が配置され、プロセスカートリッジ７の下方には光学ユニットとしてのレーザスキャナ３が配置されている。
【００２５】
像担持体としての感光体ドラム１は、アルミニウム製シリンダの外周面に有機光導伝体層（ＯＰＣ）を塗布して構成したものであり、その両端部をフランジによって回転自在に支持されている。そして、一方の端部に駆動モータ（不図示）から駆動力を伝達することにより、図１の矢印に示す時計回り方向に回転駆動される。
【００２６】
帯電手段２は、ローラ状に形成された導電性ローラで、このローラを感光体ドラム１表面に当接させるとともに、電源（不図示）によって帯電バイアス電圧を印加することにより、感光体ドラム１表面を一様に帯電させるものである。
【００２７】
レーザスキャナ３は、プロセスカートリッジ７の鉛直下方に配置され、画像信号に基づく露光を各感光体ドラム１に対して行う。
【００２８】
現像ユニット４ａ，４ｂ，４ｃ，４ｄは、それぞれイエロー（Ｙ）、マゼンタ（Ｍ）、シアン（Ｃ）、ブラック（Ｋ）の各色のトナーを収納したトナー収納部、感光体表面に隣接し、駆動部（不図示）により回転駆動されると共に、現像バイアス電源（不図示）により現像バイアス電圧を印加することにより現像を行う現像ローラ等から構成される。
【００２９】
上述の構成により，感光体ドラム１は、帯電ローラ２によって所定の負極性の電位に帯電された後、レーザスキャナ３によってそれぞれ静電潜像が形成される。この静電潜像は現像ユニット４によって反転現像されて負極性のトナーが付着され、それぞれＹ、Ｍ、Ｃ、Ｋのトナー像が形成される。
【００３０】
中間転写ベルトユニット30は、中間転写ベルト12ｅが駆動ローラ12ｆ、テンションローラ12ｇに張架されており、該テンションローラ12ｇが矢印Ｅ方向に張力をかけている。また、各感光体ドラム１に対向して、中間転写ベルト12ｅの内側に一次転写ローラ12が配設されており、バイアス印加手段（不図示）により転写バイアスを印加する構成となっている。
【００３１】
感光体ドラム１上に形成されたトナー像は、各感光体ドラム１が図１の矢印方向に回転し、中間転写ベルト12ｅが矢印Ｆ方向に回転し、さらに一次転写ローラ12に正極性のバイアスを印加することにより、感光体ドラム１ａ上のトナー像から順次、中間転写ベルト12ｅ上に一次転写される。そして、４色のトナー像が重なった状態で二次転写部15まで搬送される。
【００３２】
給送装置13は、シートＳを収納するシートカセット11内からシートＳを給送する給送ローラ９と、給送されたシートＳを搬送する搬送ローラ対10とを有している。
【００３３】
シートカセット11は、図１中本体手前方向へ引き抜くことができるよう構成されており、ユーザはシートカセット11を引き抜き、装置本体から取り外した後、シートＳをセットし装置本体へ挿入することでシート補給が完了する。
【００３４】
シートカセット11に収納されたシートＳは、給送ローラ９に圧接され、分離パッド23によって一枚ずつ分離され（摩擦片分離方式）搬送される。
【００３５】
そして、給送装置13から搬送されたシートＳはレジストローラ対17によって二次転写部15に搬送される。
【００３６】
二次転写部15において、二次転写ローラ16に正極性のバイアスを印加することにより、搬送されたシートＳに、中間転写ベルト12ｅ上の４色のトナー像を二次転写する。
【００３７】
トナー像が転写されたシートは定着手段である定着部14において、熱及び圧力が印加されてトナー像が定着され、排出ローラ対20によって排出トレイ21に排出される。
【００３８】
一方、トナー像転写後に、感光体ドラム１表面に残ったトナーは、クリーニングブレード８によって除去され、除去されたトナーはクリーナユニット５内の廃トナー容器に回収される。
【００３９】
また、シートＳへの二次転写後に中間転写ベルト12ｅ上に残ったトナーは、転写ベルトクリーニング装置22によって除去され、除去されたトナーは、廃トナー搬送路（不図示）を通過し、装置奥面部に配置された廃トナー回収容器（不図示）へと回収される。
【００４０】
[プロセスカートリッジの着脱構成]
次にカラーレーザプリンタ100におけるプロセスカートリッジ７の着脱構成について説明する。図２は第１実施形態に係る画像形成装置における、プロセスカートリッジ７の着脱方法、シートカセット11の着脱方法を示した斜視図である。
【００４１】
カラーレーザプリンタ100においては、シートカセット11へのシートの補給、プロセスカートリッジ７の着脱、プリントされたシートの回収は、装置正面側から操作可能となっている。また、プロセスカートリッジ７の着脱は、感光体ドラム１の回転軸方向、かつ装置本体正面側に着脱できる構成となっている。
【００４２】
図２に示すように、装置本体内にはカートリッジ装着部60が形成され、プロセスカートリッジ７の挿入、抜き取りをガイドするガイド部が設けられている。プロセスカートリッジ７の着脱は、開閉カバー（図示せず）を開き、前記ガイド部に沿わせてプロセスカートリッジ７を感光体ドラムの長手方向に挿抜することによって行う。
【００４３】
図３に示すように、ガイド部33はプロセスカートリッジ７の下部をガイドするガイドレールとして構成されている。このガイド部33は、プロセスカートリッジ７とレーザスキャナ３を仕切る仕切り板31に設けられ、プロセスカートリッジ７に一体的に形成された挿入リブ18をガイドする溝が形成されている。また、ガイド部33はカートリッジ挿入方向の奥側端部が他の部分よりも上方へ湾曲している（図10参照）。このため、後述するようにガイド部33に沿わせてプロセスカートリッジ７を挿入すると、挿入終期には下から上へ僅かに移動するように装着される。
【００４４】
[レーザシャッタと清掃部材]
次に、図３を用いてプロセスカートリッジ７、レーザシャッタ35、及び清掃部材61について説明をする。
【００４５】
本実施形態のレーザスキャナ３は、プロセスカートリッジ７の下方に配置され、上方に位置する感光体ドラム１に光照射するために、ユニット上部であって感光体ドラム１の長手方向に細長い開口部80が設けられている。ユニット上部に設けられた開口部80からレーザスキャナ３の内部に塵、埃、トナー等が落下し易いため、この開口部80には光が透過する透過部材であるカバーガラス34が取り付けられ、開口部80を塞いで密閉している。
【００４６】
ここで、カバーガラス３４は、長尺形状であり、感光体ドラム１に向けて出射された光を透過するために感光体ドラム１の回転軸方向と長尺状のカバーガラス３４の長手方向が略一致するように配置されている。
【００４７】
また、カバーガラス34の直上にはレーザ光を遮る位置に、黒色のＡＢＳ樹脂で成形された光シャッタ部材であるレーザシャッタ35が配置されている。このレーザシャッタ35はカバーガラス34を覆うように細長形状に形成され、レーザスキャナ３から感光体ドラム１に照射される光の光路を遮る位置（閉鎖位置）と開放する位置（開放位置）とに移動可能となっている。図３に示すように、レーザシャッタ35が閉鎖位置にあるときは、カバーガラス34を透過したレーザ光はレーザシャッタ35で遮られ、感光体ドラム１に照射されることはない。
【００４８】
そして、このレーザシャッタ35は、弾性部材で構成され、弾性変形可能に構成されている。本実施形態ではレーザシャッタ35をＡＢＳ樹脂で構成している。
【００４９】
また、レーザシャッタ35には、その外周を囲うような形態でカバーガラス34を清掃するための清掃部材61が嵌められている。清掃部材61は主にベース部材62、拭き取り部材64で構成されている。本実施形態のベース部材62は、約20mm程度の長さのＡＢＳ樹脂で形成されたものであり、レーザシャッタ35の長手方向にスライド移動自在にレーザシャッタ35によって支持されている。そして、清掃部材61がレーザシャッタ35にガイドされて長尺状のカバーガラス34の長手方向に移動することでカバーガラス34を拭き取り可能となっている。
【００５０】
清掃部材61のベース部材62上部にはタブ63が一体的に形成されている。このタブ63は、プロセスカートリッジ７を着脱する際、プロセスカートリッジ７の一部と係合するものであり、これによりプロセスカートリッジ７の挿抜動作に連動して清掃部材61がレーザシャッタ３５の長手方向に沿ってスライドする。
【００５１】
ベース部材62の下面部には、拭き取り部材64が貼り付けられている。本実施形態の拭き取り部材64は、厚さ２mm、硬度100Ｎ前後の発泡ウレタンと厚さ1.5mmのポリエステル不織布とを溶着処理で接着したものを用いている。図３に示すように、プロセスカートリッジ７が装着された状態においては、拭き取り部材64のポリエステル不織布とカバーガラス34とは離間した位置に配置されている。
【００５２】
（レーザシャッタの支持構成）
次にレーザシャッタ35の支持方法について、図４、図５を用いて説明する。図４は図３と同様にカラーレーザプリンタ100を正面側からみた部分断面図であり、図５は装置上方よりみた断面図である。
【００５３】
図５に示すように、レーザシャッタ35はリンク部材によって開放位置と閉鎖位置とに移動可能となっている。具体的には、レーザシャッタ35の長手方向両端部は、その下方に配置されたリンク部材を構成する揺動アーム38，39によって支持されている。前記揺動アーム38，39は揺動支点ボス42，43を中心に回動可能であって、回動端部側が軸部によりレーザシャッタ35の両端部と枢着されている。
【００５４】
また、図４に示すように、レーザシャッタ35と揺動アーム38，39の間には、レーザシャッタ35をカバーガラス34と離れる方向へ付勢するような圧縮バネ65が取り付けられている。つまりレーザシャッタ35は、図４の上方へ付勢されており、揺動アーム38，39の軸端部に取り付けられたＥリング66によって抜け方向に規制されて位置決めされている。
【００５５】
（レーザシャッタの開閉機構）
次に、レーザシャッタ35開閉機構について図５乃至図７を用いて説明する。図５はレーザシャッタ35がレーザ光路を遮る閉鎖位置に配置された状態を示している。図５中の破線部は、レーザシャッタ35でその上方を覆われたカバーガラス34の位置を示している。
【００５６】
図５に示すように、レーザシャッタ35の長手方向両端部には丸穴36，37が設けられており、前述した揺動アーム38，39に設けられた円筒状のボス40，41が丸穴36，37に嵌り込むことで、レーザシャッタ35は揺動自在に支持されている。また、揺動アーム38，39には、その下面に揺動支点ボス42，43を一体的に形成している。揺動支点ボス42，43は、前述した仕切り板31に設けられた穴（不図示）に嵌り込み、このボスを中心に回動自在に支持されている。このような構成とすることでレーザシャッタ35は、装置本体に固定されたレーザスキャナ上のカバーガラス34に対して、リンク部材を介して移動可能に構成されていることになる。
【００５７】
レーザシャッタ35の左端部には、前述した清掃部材61が支持されている。清掃部材61はプロセスカートリッジ７の挿入動作により、カバーガラス34の表面を摺擦しながらレーザシャッタ35の右側から左側へ移動してきた状態となっている。
【００５８】
また、揺動アーム38の上面には、前記揺動支点ボス42を挟んでボス40の反対側の端部に円筒状の係合ボス44が一体的に形成されている。そして、前記係合ボス44が揺動アーム38の上部に配置されたスライダー45に形成された略円弧状の異形穴46に係合している。
【００５９】
スライダー45は、その動作を規制するよう、仕切り板31の一部を曲げ起こし形成されたガイド47，48によって、図５の上下方向の移動が規制され、且つ左右方向にスライド可能に取り付けられている。また、スライダー45の長手方向一方側端部は、装置本体の前側板49に設けられた規制穴（不図示）を貫通し、装置本体前面側に飛び出すよう配置されている。さらに、スライダーの中央部に形成された開口穴50の端部には凸形状部51が形成され、この凸形状部51に圧縮バネ52の右端が嵌められている。
【００６０】
図６はスライダー45と圧縮バネ52を装置左側面から矢視した断面図である。図６に示すように、圧縮バネ52の左端は仕切り板31の一部を曲げ起こして形成されたバネ支持形状部53に嵌められている。従って、スライダー45は圧縮バネ52のバネ圧によって、図６の右方向に付勢されていることになる。これにより、付勢手段となる圧縮バネ52によってレーザシャッタ35は閉鎖位置に移動する方向に付勢されている。
【００６１】
そして、スライダー45は、その側面に段形状部54を有しており（図５）、その段形状部54が前側板49に突き当たることによって静止している。このため、前記側板49は圧縮バネ52により付勢されたレーザシャッタ35の移動を規制し、レーザシャッタ35を閉鎖位置に位置決めする規制部となる。
【００６２】
次に、レーザシャッタ35の開閉動作について説明する。図７は画像形成可能な状態、つまり、装置の開閉カバーである前ドア26が閉められ、レーザシャッタ35がレーザ光の光路から退避した開放位置にある状態を示している。
【００６３】
スライダー45がスライドすると、異形穴46に嵌っている係合ボス44が移動する。例えば、図７に示すように、前ドア26が閉じられると前ドア26の内面に形成された凸形状部27がスライダー45の端部を押し込む。これにより、スライダー45が矢印Ａ方向にスライドすると、係合ボス44が異形穴46に沿って移動する。そのため、揺動アーム38は揺動支点ボス42を中心に図７の矢印Ｂ方向に回転することになる。その結果、円筒状ボス40に枢支されたレーザシャッタ35は図７の位置に移動することになる。また、レーザシャッタ35を支持する他方の揺動アーム39は、レーザシャッタ35の動きに従い揺動支点ボス43を中心に矢印Ｃ方向に回転する。
【００６４】
上記のように、前ドア26が閉じられるとレーザシャッタ35は、カバーガラス34の直上から退避し、レーザスキャナ３から出射されるレーザ光は感光体ドラム１に照射可能となる。
【００６５】
図７の状態から前ドア26が開けられると、スライダー45の端部への凸形状部27による押圧がなくなるために、スライダー４５は圧縮バネ52の付勢力によって図中右方向（レーザシャッタ35を閉鎖位置へ移動させる方向）にスライドする。このスライドによって異形穴46に嵌っている係合ボス44が移動させられ、揺動アーム38，39が前記矢印Ｂ、Ｃ方向の逆方向に回転してレーザシャッタ35が移動し、図５の状態になる。これにより、レーザシャッタ35はカバーガラス34の直上に移動してレーザ光の光路を遮る閉鎖位置になる。
【００６６】
図８はカラーレーザプリンタ100の左側面側からみた断面図である。図８中右側（装置正面側）には、前ドア26が設けられている。前ドア26は、装置のカバーであると同時に、プロセスカートリッジ７を着脱する際に開閉するドアである。前ドア26は、その下部に設けられた支点軸28を中心にして装置本体に回転自在に支持されている。一方、その上部ではラッチ（不図示）により、装置本体に引掛けられている。
【００６７】
ユーザは、プロセスカートリッジ７を交換する際、把手29をつかみ、手前に引っ張ることで前ドア26を開けることができる。前ドア26が開けられると、前述したようにスライダー45が図８の右側へスライド移動してレーザシャッタ35が閉鎖位置に移動する。
【００６８】
上記のように、プロセスカートリッジ７を着脱するために前ドア26を開くと、レーザシャッタ35がカバーガラス34の直上に配置されるため、着脱時の衝撃によって浮遊、落下する塵、埃、トナー等がカバーガラス34表面に付着することを防止できる。
【００６９】
（プロセスカートリッジの着脱と清掃部材の移動）
次に、プロセスカートリッジ７の着脱と清掃部材61の動作について、図９乃至図1１を用いて説明する。
【００７０】
図９（ａ）〜（ｄ）は、カバーガラス34、及びレーザシャッタ35を装置側面よりみた図であり、図中右側は装置正面側、つまりプロセスカートリッジ７を挿入する側である。図９（ａ）の状態は、プロセスカートリッジ７の挿入前の状態を示している。
【００７１】
前述したように、レーザシャッタ35は、その両端部の圧縮バネ65により上方に付勢されており、レーザシャッタ35に支持された清掃部材61は、拭き取り部材64がカバーガラス34から離れた状態で配置されている。また、プロセスカートリッジの挿入方向先端側であって下端には、リブ68が形成されている。
【００７２】
プロセスカートリッジ７が挿入されてくると、図９（ｂ）に示すように、前記リブ68がベース部材62と干渉する。しかし、リブ68はベース部材62に形成された斜面67により、引っかかることなく、清掃部材61を下方へ押し下げてタブ63と係合する。この押し下げにより、レーザシャッタ35が圧縮バネ65の付勢力に抗して下方へ移動し、清掃部材61がカバーガラス34に接触した状態になる。
【００７３】
次に図９（ｃ）に示すように、清掃部材61がカバーガラス34に当接した状態のまま、プロセスカートリッジ７は矢印Ｄ方向に挿入されていく。プロセスカートリッジ７が挿入されていくときに、拭き取り部材64がカバーガラス34に接触したまま、プロセスカートリッジ７に押されてレーザシャッタ35に沿ってスライドする。これにより、カバーガラス34が清掃部材61によって清掃される。そして、レーザシャッタ35が清掃部材61のスライドをガイドする部材を兼ねる構成となっている。
【００７４】
ここで、プロセスカートリッジ７を着脱するときは、レーザシャッタ35は図５の状態にある。このとき、清掃部材61がレーザシャッタ35に支持されてプロセスカートリッジ７の挿入に伴ってレーザシャッタ３５に沿ってスライドすると、その摺擦抵抗によりレーザシャッタ35も清掃部材61の移動方向に移動しようとする。しかし、揺動アーム38が図５の反時計回り方向に回転しようとしても、係合ボス44で係合しているスライダー45は前側板49によって右側への移動が規制されているため、揺動アーム38は回転できない。このため、プロセスカートリッジ７の挿入動作に伴なって清掃部材61がスライドしてもレーザシャッタ35はカバーガラス34上の閉鎖位置から移動することなく、清掃部材61のガイドとし機能する。よって、プロセスカートリッジ７の挿入時はスライドする清掃部材61によりカバーガラス34が確実に清掃される。
【００７５】
プロセスカートリッジ７をさらに挿入していくと、図９（ｄ）の状態となる。図９（ｄ）は、拭き取り部材64が清掃を完了した状態である。プロセスカートリッジ７は、その挿入軌跡の規制によって、図９（ｄ）の矢印方向（斜め上方向）に移動していく。この軌跡により、リブ68はタブ63からリリースされ、清掃部材61は、図９（ｄ）の左端部である清掃終了位置に、プロセスカートリッジ７は図中矢印方向に位置決めされるようになる。
【００７６】
ここで、上記のようにプロセスカートリッジ７の挿入軌跡が挿入完了直前に斜め上方に移動する構成について、図10を参照して説明する。
【００７７】
プロセスカートリッジ７は、図10（ａ）に示すように、装置本体に設けられたガイド部33にガイドされて挿入される。このガイド部33は、挿入されるプロセスカートリッジ７をガイドする第１ガイド33ａが形成されている。そして前記第１ガイド33ａと連続してプロセスカートリッジ７の挿入終端部分には第１ガイド33ａから斜め上方へ傾斜した第２ガイド33ｂ、第２ガイド33ｂと連続して第１ガイドよりも上方に位置する第３ガイド33ｃが形成されている。
【００７８】
このため、挿入されるプロセスカートリッジ７は第１ガイド33ａにガイドされて装置内へ挿入され、このとき清掃部材61がカバーガラス34を摺擦して清掃する。そして、図10（ｂ）に示すように、プロセスカートリッジ７は挿入完了直前に第２ガイド33ｂから第３ガイド33ｃに乗り上げる。このとき、図10（ｃ）に示すように、プロセスカートリッジ７の挿入方向後端側の下端に形成された凸部90が第１ガイド33ａに乗り上げる。これによりプロセスカートリッジ７は上方に移動してリブ68がタブ63からリリースされる。
【００７９】
さらに、プロセスカートリッジ７が上方に移動したときに、吊上バネ91，92によって上方に引き上げられる。すなわち、カートリッジ装着部60のプロセスカートリッジ挿入手前側には端部に係止ボス93を有する吊上バネ91が設けられており、この係止ボス93がプロセスカートリッジ７に形成された係止穴94に係止してプロセスカートリッジ７を上方へ引き上げる。また、プロセスカートリッジ挿入奥側にも吊上バネ92が設けられており、上方へ移動したプロセスカートリッジ７の一部が前記吊上バネ92に押し上げられて上方へ引き上げられる。
【００８０】
次に装置本体に装着されたプロセスカートリッジ７を引き抜く場合について、図11を参照して説明する。
【００８１】
図11（ａ）の状態は、カラーレーザプリンタ100がカラー画像形成を行う状態を示している。拭き取り部材64はカバーガラス34から離間した状態で保持されている。また、レーザシャッタ35は、その両端部の圧縮バネ65によりカバーガラス34から確実に一定の距離を保った状態で支持されている。
【００８２】
また、プロセスカートリッジが装置本体に装着された状態では清掃部材61は装着部内の奥側に移動している。この状態からプロセスカートリッジ７を引き抜くと、前述した傾斜した第２ガイド33ｂにガイドされてプロセスカートリッジ７が下降する。これにより、プロセスカートリッジ下端のリブ68が清掃部材上端のタブ63の左側面に係合する。なお、図1１（ｂ）に示すように、プロセスカートリッジ７の下面であって、前記リブ68が設けられている部分には凹部95が形成されており、プロセスカートリッジ７が第２ガイド33ｂにガイドされて下降してきたとき、清掃部材61の上部に前記凹部95が位置するため、プロセスカートリッジ７は清掃部材61を押し下げない。このため、清掃部材61はカバーガラス34から離間した状態を維持する。
【００８３】
その状態のまま、プロセスカートリッジ７は清掃部材61を伴いながら図中右方向に移動していく。その際、拭き取り部材64がカバーガラス34から離間した状態で移動する。このように拭き取り部材64にカバーガラス34から離間して戻ることによって、拭き取り部材64がカバーガラス34から当接した状態で移動することに起因して再びカバーガラス34を汚してしまうことを抑制できる。また、清掃部材61は清掃時以外はカバーガラス34に押し付けられていないため、耐久性を高めることができる。
【００８４】
プロセスカートリッジ７をさらに引き抜くと、図11（ｃ）の状態となり、清掃部材61は清掃開始位置に戻り、レーザシャッタ35に設けられた突当部に突き当たる。図12は移動中の清掃部材61がレーザシャッタ35の突当部に突き当たった状態を示す平面図である。この状態からさらにプロセスカートリッジ７を引き抜くと、レーザシャッタ35が図12の右側に引かれる。
【００８５】
図12の状態からレーザシャッタ35が右側に移動すると、図13に示すように、スライダー45を付勢している圧縮バネ52の付勢力に抗してレーザシャッタ35を支持する揺動アーム38，39がスライダー45を矢印方向にスライドさせつつ、時計回り方向に回転する。これにより、図13に示すように、レーザシャッタ35は開放位置側へ移動する。このため、清掃部材61もこれに伴って移動し、プロセスカートリッジ７のリブ68は清掃部材61のタブ63との係合が外れる。そして、プロセスカートリッジ７が装置本体から抜き取られることになる。
【００８６】
なお、圧縮バネ52の付勢力に抗して揺動アーム38，39を回転させるための力に対して、レーザシャッタ35と清掃部材61の摺動抵抗は小さく設定している。このため、プロセスカートリッジ７を抜き取る動作に伴って清掃部材61がレーザシャッタ35上をスライドしてレーザシャッタ３５の突当部に突き当たるまでは、タブ63とリブ68との係合が外れることはない。
【００８７】
プロセスカートリッジ７が装置本体から抜き取られると、スライダー45は圧縮バネ52の付勢力によって段形状部54が前側板49に突き当たるまで戻る。これにより、レーザシャッタ35は、図12に示すように、閉鎖位置まで移動して位置決めされている。
【００８８】
以上のように、プロセスカートリッジ７を装置本体から取り外す際に、プロセスカートリッジ７と清掃部材61との係合を解除させるのに抵抗となる力は、揺動アーム38，39を回転方向に付勢させる力のみとなるため、操作性が軽く信頼性の高い清掃機構を提供することができる。
【図面の簡単な説明】
【００８９】
【図１】多色画像形成装置の実施形態を示す断面図である。
【図２】プロセスカートリッジの着脱、シートカセットの装着説明図である。
【図３】レーザシャッタと清掃部材の断面説明図である。
【図４】レーザシャッタの枢着部分の断面説明図である。
【図５】レーザシャッタが閉鎖位置にあるときの説明図である。
【図６】スライダーの付勢構成説明図である。
【図７】レーザシャッタが開放位置にあるときの説明図である。
【図８】画像形成装置を左側面側からみた断面図である。
【図９】プロセスカートリッジの挿入と清掃部材のスライド状態を示す説明図である。
【図１０】プロセスカートリッジの挿入状態説明図である。
【図１１】プロセスカートリッジの引き抜きと清掃部材のスライド状態を示す説明図である。
【図１２】清掃部材とプロセスカートリッジの係合解除構成の説明図である。
【図１３】清掃部材とプロセスカートリッジの係合解除構成の説明図である。
【符号の説明】
【００９０】
１    …感光体ドラム（像担持体）
３    …レーザスキャナ（光学ユニット）
７    …プロセスカートリッジ
34    …カバーガラス（透過部材）
35    …レーザシャッタ（光シャッタ部材）
45    …スライダー
49    …前側板
52    …圧縮バネ60    …カートリッジ装着部
61    …清掃部材
80    …開口部
【図１】
0005106212.tif 000002
【図２】
0005106212.tif 000003
【図３】
0005106212.tif 000004
【図４】
0005106212.tif 000005
【図５】
0005106212.tif 000006
【図６】
0005106212.tif 000007
【図７】
0005106212.tif 000008
【図８】
0005106212.tif 000009
【図９】
0005106212.tif 000010
【図１０】
0005106212.tif 000011
【図１１】
0005106212.tif 000012
【図１２】
0005106212.tif 000013
【図１３】
0005106212.tif 000014